(57)【要約】      （修正有）【課題】埋め込みコンセント近辺に家具等が隙間いっぱいに配置されている場合、狭い隙間でも容易にプラグの差込みを行える誘導装置を提供する。【解決手段】プラグ金具９ａの内間隙寸法に合わせた、凸形の第１のプラグ誘導装置１１をコンセントに取り付け、コンセントカバーに溝１３ａ，１３ｂ，１３ｃを加工する。プラグ９を差し込む場合は、まず、プラグ９指で持ち、プラグ金具９ａを第１のプラグ誘導装置１１の幅に合わせて移動する。次に、第２のプラグ誘導装置の溝に沿って、コンセントの穴まで移動させて、プラグ９をコンセントの穴に差し込む。プラグ誘導装置を設けたため、狭い隙間でも、プラグ９のコンセントへの差込が容易にできるようにした。【選択図】図１０
2011049128.tif 000002
【特許請求の範囲】
【請求項１】
化粧プレート上に第１プラグ誘導装置とコンセントカバー上に第２のプラグ誘導装置の溝を備えつけたことを特徴とするコンセントのプラグ誘導装置。
【請求項２】
前記第１のプラグ誘導装置はプラグの差込金具の内間隔より若干狭い幅の凸形で先端は、山形加工したことを特徴とする。請求項１項に記載の差込みコンセントのプラグ誘導装置
【請求項３】
前記第２のプラグ誘導装置はコンセントカバーに長手方向で、上部よりプラグ金具の穴の巾で、２段の溝を備えたことを特徴とする  請求項１項から請求項２項に記載の差込コンセントのプラグ誘導装置
【請求項４】
前記第１プラグ誘導装置をピン支持しバネを備え上下可動に構成したことを特徴とする請求項１項から請求項３項に記載のコンセントのプラグ誘導装置
【請求項５】
前記第１のプラグ誘導装置のコンセントカバー上に誘導装置の先端部が収納でる溝を備えたことを特徴とする請求項１項から請求項４項に記載のコンセントのプラグ誘導装置。
【発明の詳細な説明】
【技術分野】
【０００１】この発明は埋め込みコンセントの化粧プレート上に第１のプラグ誘導装置の凸部コンセントカバー上に第２のプラグ誘導装置の溝を入れた技術である
【背景技術】
【０００２】通常コンセントは建屋の室の隅または廊下の壁に、取り付けられる。
【先行技術文献】
【特許文献】
【特許文献】添付文献はコンセントの表面に被覆を取り付けた物を参考に示す
【０００３】
【特許文献】添付文献−特開  ２００５−２３５７４５
【発明が解決しようとする課題】
【０００４】一般に埋め込みコンセント周辺には家具等が隙間いっぱいに配置されている為、奥が深く暗い為、狭い隙間いっぱいに手を伸ばし、体をひねりながらコンセントの穴をめがけて、手さぐりの状態でプラグに差し込みを行っていた  この穴が小さい為、手に隠れてなかなか入いらないといった問題があった。
【０００５】またプラグの金具を指先で持ち、その指先でコンセントの穴をさがし当て差込を行う、その際プラグの金具に手が触れている為感電しやすい状態にあり危険でもあった。
【題を解決するための手段】
【０００６】本案は化粧プレート上に第１のプラグ誘導装置の凸部とコンセントカバー上に第２のプラグ誘導装置の溝を備えた物である。
【発明の効果】
【０００７】これにより家具等が配置された狭い、奥の深い、暗い所のコンセント穴に、高齢者や、目の不自由な人、子供でも手が入る隙間があれば容易にプラグを差し込むことができ、人に優しいコンセントプラグ誘導装置が提供できる。
【図面の簡単な説明】
【０００８】
【図１】一般的な平面図
【図２】現状の埋め込みコンセント周辺の斜視図
【図３】プラグを持つ指の位置斜視図
【図４】プラグを持つ指の位置斜視図
【図５】化粧カバーにプラグ誘導装置を取付けた斜視図
【図６】プラグ誘導装置の視図Ａ−Ａ
【図７】コンセントカバーに第２の誘導装置の溝を入れた斜視図
【図８】図７の溝の深さ視図Ａ−Ａ
【図９】化粧カバーとコンセントカバーの組み合わせ斜視図
【図１０】プラグを第１の誘導装置に引っ掛け差し込む迄の斜視図
【図１１】プラグ誘導装置のガイドを取り付けた平面図
【図１２】プラグ誘導装置のガイドを取り付けた斜視図
【図１３】プラグ誘導装置を使用しコンセントに差し込んだ斜視図
【発明を実施するための形態】
【０００９】以下この発明の各実施の形態を図に基づいて説明する各図において同一または相当の部材部位については同一符号を付いて説明
【実施例１】
【０００１０】コンセントプラグ誘導装置１１はプラグ金具９ａの内間隙寸法に合わせ、先端は山形１１ａで  ２段のカマボコ型１１ｂの加工を行い化粧プレート３ｂ上に裏側よりネジ１２で取付けた。又コンセントカバー３ｃは図７斜視図で断面Ａ−Ａを図８に示す。１３ａ１３ｂ１３ｃは溝加工で図９のように化粧プレート３ｂとコンセントカバー３ｃを組みあわせる。【０００１１】図１０は実施の形態１を示す斜視図である。プラグ９を指１０ａで持ち第１プラグ誘導装置１１ａの先端に引っ掛けそのまま下へ移動し第２のプラグ誘導装置の溝に沿って１４ａの如くコンセントの穴に３ａに９ａを強く差し込む。【００１２】図１１，図１２は第１のプラグ誘導装置１１ａを樹脂で形成し化粧カバーに取付けた物である  図１３は誘導装置を利用しプラグを差し込み完了した図である。
【産業上の利用可能性】
【００１３】この発明は以上説明したように構成されているので、家具等の隙間の狭い、奥の深い所、照明の暗い所、目の不自由な人、体の不自由な人、子供でも安心安全は元より人に優しい誘導装置が提供できる  又、手に触れても安心で使い易い第１プラグ誘導装置は２段のカマボコ型に成形した
【実施例２】
【００１４】図１４はプラグの寸法の種類の変化の平面図  図１５〜は１７は実施の形態２を示す図面である。
図１６化粧カバー状の第１のプラグ誘導装置とコンセントとプラグの断面図である。【００１５】図１５化粧プレート３ｂの中央の第１プラグ誘導装置を１７ａのピンと１８のバネを備え、プラグ誘導装置を可動に構成したものである。【００１６】これより図１４コンセントプラグ２２ａ２２ｂと寸法が異なる為プラグ誘導装置の先端２３ａ２３ｂがコンセントカバー３ｃにもうけた溝２４に収納させた又上下運動にはバネ１８を使用しコンセントプラグ２２ａ、２２ｂ迄の寸法の変化に対応ができるようになった。
【符号の説明】
【００１７】１．家の壁  ２．床  ３．埋め込みコンセント  ４．ラック  ５．テレビ  ６．サイドボード  ７．キャビネット  ８．隙間  ９．プラグ  ９ａ．プラグ金具  １０ａ，１０ｂ．の指の位置  １１．第１のプラグ誘導装置  １２．固定ネジ  １３ａ．第２のプラグ誘導装置の溝の深さ  １３ｂ，１３ｃ．溝  １３ｄ．長手方向溝  １４．移動方向  １４ａ．差込む  １５，１５ａ．プラグ  １６．第１のプラグ誘導装置  １７．誘導装置取付け突起物  １７ａ．ピン  １８．バネ  １９．ネジ  ２０ａ，２０ｂ．メクラ穴  ２１．プラグ移動  ２２ａ．プラグ寸法３ｍｍ  ２２ｂ．プラグ寸法７ｍｍ  ２３ａ，２３ｂ．プラグ誘導装置先端部の位置  ２４．コンセントカバーの溝  ，
【受託番号】
【・・・・】
【図１】
2011049128.tif 000003
【図２】
2011049128.tif 000004
【図３】
2011049128.tif 000005
【図４】
2011049128.tif 000006
【図５】
2011049128.tif 000007
【図６】
2011049128.tif 000008
【図７】
2011049128.tif 000009
【図８】
2011049128.tif 000010
【図９】
2011049128.tif 000011
【図１０】
2011049128.tif 000012
【図１１】
2011049128.tif 000013
【図１２】
2011049128.tif 000014
【図１３】
2011049128.tif 000015
【図１４】
2011049128.tif 000016
【図１５】
2011049128.tif 000017
【図１６】
2011049128.tif 000018
【図１７】
2011049128.tif 000019
【手続補正書】
【提出日】平成21年10月21日(2009.10.21)
【手続補正２】
【補正対象書類名】明細書
【補正対象項目名】０００８
【補正方法】変更
【補正の内容】
【０００８】
【図１】一般的な平面図
【図２】現状の埋め込みコンセント周辺の斜視図
【図３】プラグを持つ指の位置斜視図
【図４】プラグを持つ指の位置斜視図
【図５】化粧カバーにプラグ誘導装置を取り付けた斜視図
【図６】プラグ誘導装置の視図Ａ−Ａ
【図７】コンセントカバーに第２の誘導装置の溝を入れた斜視図
【図８】図７の溝の深さ視図Ａ−Ａ
【図９】化粧カバーとコンセントカバーの組み合わせ斜視図
【図１０】プラグを第１の誘導装置に引っ掛け差し込む迄の斜視図
【図１１】プラグ誘導装置のガイドを取り付けた平面図
【図１２】プラグ誘導装置のガイドを取り付けた斜視図
【図１３】プラグ誘導装置を使用しコンセントに差し込んだ斜視図
【図１４】各プラグの変化寸法を示す平面図
【図１５】コンセント誘導装置はピンとバネにて取り付けた。
【図１６】コンセント誘導装置はピンを軸に上下運動の平面図
【図１７】コンセントカバー上に溝を入れプラグの変化寸法に対応した。